(57)【特許請求の範囲】
【請求項１】
車外の送信機から遠隔操作の指示信号を受信して、車両を自動的に移動させる自動操縦手段を備える車両において、
車外の送信機からの入庫指令を受信する受信手段と、
前記車両周囲の障害物状況を把握する把握手段と、
前記把握手段により把握された障害物の状況に基づいて、前記車両からの乗降の難易度を判定する判定手段と、
前記受信手段により受信された前記入庫指令に基づく入庫開始から駐車目的地までの走行軌跡と、各位置における前記判定手段による判定結果とを、対応づけて記憶する記憶手段と、
前記入庫指令にしたがって、前記記憶手段に記憶された走行軌跡および判定結果に基づいて車両を走行させて駐車目的地までの入庫を行う制御手段と、を有し、
前記制御手段は、駐車目的地に到達した際の前記判定手段による判定結果に基づいて駐車目的地での前記車両からの乗降が容易でないと判定した場合に、前記記憶手段によって記憶された走行軌跡における、運転者の乗降スペースが確保されており、かつ、駐車目的地に最も接近した位置までの前記自動操縦手段による走行を継続させ、乗員乗降後に自動的に駐車目的地まで車両を移動させる、車両。
【請求項２】
前記制御手段によって、運転者の乗降スペースが確保されており、かつ、駐車目的地に最も接近した位置まで走行を継続させた後、ドアロックを解除し、乗車可能である旨報知する、請求項１記載の車両。
【発明の詳細な説明】
【技術分野】
【０００１】
本発明は、遠隔で車両を操作する自動操縦手段を備える車両に関する。
【背景技術】
【０００２】
駐車時に適切な経路を設定して駐車操作を支援する運転支援装置が知られている。特許文献１に開示されている技術は、こうした運転支援装置の一つであり、入庫または出庫の際の経路を記憶しておき、その経路に沿った自動走行を可能とするものである。この自動走行時には、運転者が乗車している必要がないため、乗員の乗降位置と駐車位置とを分けることが可能となり、乗員が快適に乗降できるスペースを確保できない場所への駐車も可能となるという利点があると記載されている。
【先行技術文献】
【特許文献】
【０００３】
【特許文献１】特開２００８−５３６７３４号公報
【発明の概要】
【発明が解決しようとする課題】
【０００４】
この技術は、既に走行した経路に沿った走行を行うため、運転者の入庫・出庫操作が不可欠である。経路を記憶した時と、周囲の状況、例えば、車両周辺の障害物、他車両位置の変更等があると、適切な支援ができないという問題がある。
【０００５】
そこで本発明は、遠隔操作により入出庫を可能とした車両遠隔操作装置において、周囲の状況変化に対応することを可能とした自動操縦手段を備える車両を提供することを課題とする。
【課題を解決するための手段】
【０００６】
上記課題を解決するため、本発明に係る自動操縦手段を備える車両は、車外の送信機から遠隔操作の指示信号を受信して、車両を自動的に移動させる自動操縦手段を備える車両において、（１）車外の送信機からの入庫指令を受信する受信手段と、（２）車両周囲の障害物状況を把握する把握手段と、（３）把握手段により把握された障害物の状況に基づいて、車両からの乗降の難易度を判定する判定手段と、（４）受信手段により受信された入庫指令に基づく入庫開始から駐車目的地までの走行軌跡と、各位置における判定手段による判定結果とを、対応づけて記憶する記憶手段と、（５）入庫指令にしたがって、記憶手段に記憶された走行軌跡および判定結果に基づいて車両を走行させて駐車目的地までの入庫を行う制御手段と、を有し、制御手段は、駐車目的地に到達した際の判定手段による判定結果に基づいて駐車目的地での車両からの乗降が容易でないと判定した場合に、記憶手段によって記憶された走行軌跡における、運転者の乗降スペースが確保されており、かつ、駐車目的地に最も接近した位置までの自動操縦手段による走行を継続させ、乗員乗降後に自動的に駐車目的地まで車両を移動させることを特徴とする。
【０００７】
さらに、制御手段によって、運転者の乗降スペースが確保されており、かつ、駐車目的地に最も接近した位置まで走行を継続させた後、ドアロックを解除し、乗車可能である旨報知するとよい。
【発明の効果】
【０００８】
本発明によれば、車両周囲の障害物状況（位置、車両との距離等）を把握し、把握した障害物状況に基づいて車両ドアからの乗降の難易を判定することで、入庫後出庫までの間に車両周囲の状況が変化した場合でも、出庫時には、その変化に応じて乗降スペースを確保できるか否かを判定して乗降が容易な場所へと移動することができる。
【０００９】
判定された難易度に基づいて、車両を自動的に移動させることで、操作者が乗降スペースを確保できる場所へと遠隔操作により車両を適切に移動させることができ、乗降が容易でない場所で乗降を行わないですむため、利便性が向上する。
【図面の簡単な説明】
【００１０】
【図１】本発明に係る車両遠隔操作装置の構成を示すブロック図である。
【図２】図１の装置における遠隔操作動作を示すフローチャートである。
【図３】遠隔操作時の車両移動を説明する図である。
【図４】遠隔操作による出庫前の車両と周辺の状況を示す図である。
【図５】遠隔操作による出庫後の車両と周辺の状況を示す図である。
【図６】図１の装置における遠隔操作の別の動作を示すフローチャートである。
【発明を実施するための形態】
【００１１】
以下、添付図面を参照して本発明の好適な実施の形態について詳細に説明する。説明の理解を容易にするため、各図面において同一の構成要素に対しては可能な限り同一の参照番号を附し、重複する説明は省略する。
【００１２】
図１に、本発明に係る車両遠隔操作装置の構成を示す。この遠隔操作装置は、制御部である遠隔操作ＥＣＵ（Electric Control Unit）１を中心に構成される。遠隔操作ＥＣＵ１は、ＣＰＵ、ＲＯＭ、ＲＡＭ等によって構成されている。その内部には、障害物検出部１１、車両市検出部１２、軌道生成部１３、軌道記憶部１４、自動操縦部１５を備える。遠隔操作ＥＣＵ１内の各部は、ハードウェア的に区分されていてもよい。この場合は、ハードウェアの一部を共有していてもよい。ハードウェア的に区分されていないか、一部を共有している場合は、ソフトウェア的に区分されていてもよく、ソフトウェアの一部を共有していてもよい。さらに、同一のソフトウェア内で複数の機能を実現してもよい。
【００１３】
遠隔操作ＥＣＵ１には、周辺の障害物位置を検出する周辺物センサ２１、車輪の回転を検出する車輪速センサ２２、操舵量を検出する舵角センサ２３の出力が入力され、各車両状態量を読み込む。遠隔操作ＥＣＵ１には、また、受信機２４の出力信号が入力されるが、この受信機２４は、運転者等の乗員が車外へと持ち出すことが可能な送信機５０と相互通信して、遠隔操作の指示信号を受信する機能を有している。この送信機５０は、例えば、車両のイグニッションキーと一体化されているとよい。周辺物センサ２１としては、超音波センサ、レーザレーダ、赤外線センサ等を用いることができる。周辺物センサ２１は少なくとも運転者側のドア近傍を含む車両の複数の箇所に配置される。例えば、外開き式の運転席ドアの場合には、ドアの前と後ろにセンサを配置するとよい。
【００１４】
遠隔操作ＥＣＵ１は、また、操舵を行う操舵アクチュエータ３１、車両を駆動するエンジン３２、変速機３３、制動を行うブレーキ３４をそれぞれ制御する。操舵アクチュエータ３１としては、例えば、電動パワーステアリング装置のアクチュエータを用いるとよい。
【００１５】
以下、運転者側のドアを用いた乗降が容易になるように入出庫を行う場合を例に説明する。最初に、この車両遠隔操作装置による入出庫時の動作を図２のフローチャートを参照して説明する。この処理は、図示していないスイッチ等により駐車状態に設定されたとき、あるいは、遠隔操作をオンにしたときに処理を開始するとよい。あるいは、運転者が車両を停止させてから変速機の状態を後退状態に設定した時点で作動させるとよい。
【００１６】
最初のステップＳ１では、車両位置検出部１２で検出した入庫開始時の車両位置と、障害物検出部１１で検出したそのときのドア余裕を記憶する。入庫開始時の位置は、図示していないＧＰＳ（Global Positioning System）等の航法装置で判定した自車両位置をもとにしてもよい。あるいは、入庫開始位置を始点としてその後の走行距離に伴う舵角変化を記憶するようにしてもよい。障害物検出部１１は、周辺物センサ２１で検出した車両周辺の障害物との距離、位置関係、その変化に基づいて車両周辺の障害物状況を把握し、これに基づいてドア余裕を判定するものである。
【００１７】
ドア余裕のパラメータとしては、例えば、運転者側のドアと、そのドアに対向する障害物（言い換えると、ドア開閉動作に干渉するエリアに存在する障害物）との距離、または、運転者側のドアを利用する際の乗降スペースとしてドア周辺の乗降に用いられるエリアの面積のほか、ドアを含む車体長さ方向の所定の範囲における障害物と車体との最短距離、可能なドアの開度等を用いることができる。そのほか、ドアの開閉可否を判定する場合も含まれる。例えば、ドア開閉可能距離あるいは開閉可能開度を、基準しきい値と比較し、しきい値より大きく開閉できる場合に、開閉が容易であり、それ未満の場合には開閉が困難と判定するとよい。
【００１８】
その後、走行中の移動軌跡とドア余裕変動を検出し、記憶する（ステップＳ２）。移動軌跡の検出は、車両位置検出部１２により、ドア余裕変動の検出は、障害物検出部１１により、いずれもステップＳ１と同様の手法により行われる。この軌跡は、軌道記憶部１４内にドア余裕変動と対応づけて記憶される。これを駐車位置に達するまで行い、車両位置検出部１２により検出した駐車位置を記憶する（ステップＳ３）。
【００１９】
ここまでの駐車操作は、専ら運転者の操作により行ってもよいが、適切な入庫経路を算出し、その経路に沿った移動が行えるよう、誘導あるいは自動操縦により駐車を行ってもよい。
【００２０】
駐車位置に達したらその時点でのドア余裕をもとにしてドア開閉距離が十分か、言い換えると、運転者の乗降スペースが十分に確保されているか否かを判定する（ステップＳ４）。ドア余裕が十分な場合には、そのドアを利用した乗員の乗降が容易であり、不十分な場合には、乗員の乗降は困難であるから、ドア余裕は乗員の乗降の難易度を表す指標として機能する。乗降スペースが十分に確保されている場合には、駐車位置での運転者の乗降が可能であるため、駐車完了としてその後の処理をスキップして終了する。一方、乗降スペースが十分に確保されておらず、駐車位置での運転者の乗降に支障をきたすと判断した場合には、ステップＳ５へと移行する。
【００２１】
ステップＳ５では、乗降可能位置への移動処理を行う。ここでは、軌道生成部１３が、軌道記憶部１４内に記憶されている入庫時の軌跡とドア余裕変動に基づいて、入庫開始位置から現在位置までの間で、運転者の乗降スペースが確保されており、かつ、駐車位置に最も近接した地点を探索し、その地点を目的地として駐車位置からの軌跡を生成する。ここで、入庫開始位置まで戻っても運転者の乗降スペースが予め設定された所定の余裕度以上に十分でないと判定した場合には、入庫開始位置−駐車位置間で最も乗降スペースを確保できる（例えば、運転席ドアを最も大きく開くことの可能な位置）を目的地として駐車位置からの軌跡を生成する。この軌跡は、例えば、走行距離に対する舵角変化として設定される。
【００２２】
自動操縦部１５は、操舵アクチュエータ３１により舵角を制御するとともに、エンジン３２、変速機３３、ブレーキ３４を操作して車速を制御することで、生成した軌跡に応じた走行を行い、車両を設定した目的地へと移動させる。
【００２３】
目的地到達後は、乗員の乗降が終了するまで待機する（ステップＳ６）。乗降終了の判定は、運転者が送信機５０を用いて乗降を終了した旨を車両の受信機２４に送信し、自動操縦部１５へと通知することにより行えばよい。この通知は乗降終了のほか、移行の処理継続を促す通知等でもよい。ドアの開閉状態やシートベルト、着席の状態、車室内の人の有無などを検出し、乗降中であると判定した場合には、停車を継続すべきであるとして停車状態を維持するとよい。
【００２４】
運転者の乗降が終了したと判断したらステップＳ７へと移行し、先に設定した駐車位置から現在位置までの経路を逆にたどる経路を生成し、この経路に沿った自動操縦を行うことで、駐車位置へと自動的に移動する。
【００２５】
ここでは、入庫開始位置までの間で乗降容易な目的地を設定したが、入庫開始位置まで遡っても乗降が所定の余裕度以上容易であるという条件を満たす目的地が存在しない場合は、入庫開始位置までの経路をさらに延長する経路を設定し、乗降が所定の余裕度以上に達した地点で停車するようにしてもよい。
【００２６】
図３は、直進して移動する場合の入庫時の軌跡例を説明したものであり、運転者の操作によって入庫開始位置から駐車位置まで一旦後退し、遠隔操作ＥＣＵ１によりドア開閉可能位置まで前進し、そこで運転者が下りた後、再度後退して駐車位置まで移動することにより、入庫を完了する。
【００２７】
次に、出庫時の操作について、図４〜図６を参照して説明する。ここでは、図４に示されるように運転者２００が乗車したい車両１００が駐車位置３００に駐車しており、隣接する駐車位置３０１に別の車両１０１が駐車している場合を考える。ここで、車両１００は右側が運転席であるとする。
【００２８】
車両１００と車両１０１との横方向車間距離Ｃが狭く、車両１００の運転席側ドアを十分に開くことができないため、現在の車両の位置関係では、運転者２００が車両１００に乗車するのに困難をきたすと予想されるとする。この場合、図５に示されるように車両１００を距離Ａだけ前進させれば、車両１００の運転席側ドアを十分に開くことができ、運転者２００が容易に乗降できるとする。
【００２９】
図６は、この出庫操作の処理フローである。最初に運転者が送信機５０を用いて送信した出庫指令を受信機２４により受信する（ステップＳ１１）。次に、障害物検出部１１により、車両周辺の障害物位置を把握し、それに基づいてドアの開閉余裕度を判定する（ステップＳ１２）。現在位置で十分なドア開閉余裕があり、運転者が容易に乗降できると判断したときは、ステップＳ１４へと移行し、ドアロックを解除し、運転者に乗車可能である旨報知する。
【００３０】
一方、現在位置では、十分なドア開閉余裕がないと判断した場合には、ステップＳ１３へと移行し、自動操縦部１５の指示により、操舵アクチュエータ３１、エンジン３２、変速機３３、ブレーキ３４を制御することで、乗降可能位置への移動を行う。
【００３１】
乗降可能位置へ到達したか否かの判断は、ステップＳ１２と同様の処理によりドアの開閉余裕度を判定し、十分なドア開閉余裕があり、運転者が容易に乗降できると判断されるまで走行を続けることで行うとよい。このときに軌道生成部１３で形成される走行軌跡は、軌道記憶部１４に記憶した入庫時の軌跡、予め設定された参照軌跡、直進軌跡等を用いることができ、障害物検出部１１の検出結果に基づいて障害物との距離を十分に維持できる軌跡を採用する。乗降可能位置へと到達した後は、ステップＳ１４へと移行し、ドアロックを解除し、運転者に乗車可能である旨報知する。乗降可能位置にかえて、初期の目的地を送信機５０から取得した運転者の現在位置付近とし、運転者の現在位置に近い乗降が最も容易な地点へと移動するようにしてもよい。
【００３２】
以上の説明では、運転席側のドアの乗降を判定する場合を例に説明したが、貨物ドアを含むその他のドアであってもよい。また、外側へと開くドアに限らず、上に開くドアやスライドドアであっても本発明は好適に適用できる。操作者が送信機５０から受信機２４へと指令を送ることで、対象となるドアを指定することが可能となる。
【産業上の利用可能性】
【００３３】
本発明は、遠隔操作可能な車両に好適である。
【符号の説明】
【００３４】
１…遠隔操作ＥＣＵ、１１…障害物検出部、１２…車両市検出部、１２…車両位置検出部、１３…軌道生成部、１４…軌道記憶部、１５…自動操縦部、２１…周辺物センサ、２２…車輪速センサ、２３…舵角センサ、２４…受信機、３１…操舵アクチュエータ、３２…エンジン、３３…変速機、３４…ブレーキ、５０…送信機、１００、１０１…車両、２００…運転者、３００、３０１…駐車位置。
【図１】
0005692292.tif 000002
【図２】
0005692292.tif 000003
【図３】
0005692292.tif 000004
【図４】
0005692292.tif 000005
【図５】
0005692292.tif 000006
【図６】
0005692292.tif 000007